(57)【要約】      （修正有）【課題】回収古紙の結束紐取機において、紐取軸に絡み付いた紐の層を、電動モータ等の動力で作動するカッターを利用して、自動的かつ安全に、しかも迅速に切断する。【構成】結束紐取機の自動紐切断装置において、その紐取り軸１を中空パイプ１ａで形成し、該パイプの周側一箇所又はその反対側との二箇所にパイプ１ａ両端部に渡る軸方向のスリット１ｓを設け、紐取り軸１内に設けたカッターケーブル７、ジャッキネジ、又はラックピニオン等のストローク機構で上記スリット１ｓをガイドとして移動が出来るカッター５を備え、紐取り軸１の駆動モータ側と反対側に設けた動力手段で、上記カッターを自動的にストロークできるように構成した。【選択図】図２
0003141849.tif 000002
【実用新案登録請求の範囲】
【請求項１】
結束紐取り装置において、その紐取り軸を中空パイプで形成し、該パイプの周側一箇所又はその反対側との二箇所にパイプ両端部に渡る軸方向のスリットを設け、紐取り軸内に設けたストローク機構で上記スリットをガイドとして移動が出来るカッターを備え、紐取り軸の駆動モータ側と反対側に設けた動力手段で、上記カッターを自動的にストロークできるようにした事を特徴とする自動紐切断装置。
【考案の詳細な説明】
【技術分野】
【０００１】
本考案は回収古紙の結束紐取機において、紐取り軸で絡み取った紐の層を電動モータ等の動力を利用して、自動的に切断する自動紐切断装置に関する。
【背景技術】
【０００２】
従来のこの種技術としては、特許第３１９５１８９号回収古紙の結束紐取り装置がある。この公報所載の装置では、図１０〜図１３に示すように紐取り軸ａは、その円周上に係止片ａ１を螺旋状に配設し、その両端を回転自在に支持するための軸受けｄ，ｅを配し、電動モータｂにより回転する構造であった。その作用は、軸上方より落下してくる紐を当該軸を回転させることで、紐を絡み取る方式である。この従来装置を用いた場合、古紙等の結束紐類を自動的に巻き取り、作業能率を従来の手作業に比し向上させることが出来るが、紐取り軸に巻き取った紐類の除去作業は、人手によりカッターナイフや鎌等で切り落とすしか術がなく、苦労の伴う根気の要する作業であった。
【０００３】
多少の改良としては、紐取り軸の円周上二箇所に、フラットバーａ２を溶接し、切断部の紐を軸外周面から少し浮かす事で多少切り易くした程度のものしかなく、抜本的な改善が求められていた。
特に１日１００トン以上の古紙を処理する大手の古紙問屋にあっては、紐取り軸に絡む紐の量も膨大なものとなり、手作業での切り落とし作業は、フラットバーの効果も無く、改善を求める声にも高いものがあった。
【特許文献１】特許第３１９５１８９号
【考案の開示】
【考案が解決しようとする課題】
【０００４】
そこで本考案は前記難点に鑑み、電動モータ等の動力にて作動する刃物（カッター）を利用し、当該刃物を円筒状に絡んだ紐層の中を軸方向に強力に走らせることで、自動的に、しかも安全に短時間のうちに紐を切断しようとするものである。
【課題を解決するための手段】
【０００５】
上記目的を達成するため、本考案では、紐取り軸を中空パイプで形成し、その外周部に軸方向両端部に渡るスリットを設けてあり、紐取り軸内部にはカッターを装入し、その刃部を上記スリットから突出させてある。このカッターの基部にはカッターケーブルの一方の端部を連結し、カッターケーブルの他端部は紐取り軸に連結した中空シャフトから引き出し、ウインチケーブルに着脱可能にしてある。而して、ウインチの作動により、カッターをスリットに沿ってストロークさせながら紐の層を切断できるように構成してある。
【０００６】
また、カッターをスリットに沿って移動させるためのストローク機構として、上記のようなカッターケーブルの替わりにジャッキネジを用いる事も出来る。この場合にはカッター基部にネジ孔を設けて紐取り軸内に設けたジャッキネジ端部に装着し、ジャッキネジの突出部はインパクトレンチ又は電動モータに連結できるようにして、ジャッキネジの回転により、カッターをスリットに沿ってストロークさせながら紐の層を切断するように構成した。
【０００７】
また、上記カッターを移動させるためのストローク機構として、ラックアンドピニオンを用いる事も出来る。この場合はカッターの基部をラック端部に固定し、ラックの突出部にピニオンを接続し、ピニオンを駆動させることによりカッターをスリットに沿ってストロークさせながら紐の層を切断するように構成した。
【考案の効果】
【０００８】
本考案の自動紐切断装置によれば、紐取り軸上に絡んだ紐の層に、カッターを全長に渡り強力にストロークさせることで、極短時間（１０数秒）で切断作業を完了できる。しかも従来のように手作業を必要としないからカッターで手に傷を付ける心配も無く安全に行える。
また、構造がシンプルで製作が容易であると共に、ランニングコスト等の諸費用を安価に出来る利点がある。
【考案を実施するための最良の形態】
【０００９】
本考案に係る結束紐取機の紐切断装置においては、回収古紙の処理作業中、紐取り軸に絡んだ紐の層を自動的に切断できる構成としたものである。
以下、添付図面に従って本考案の実施例を詳説する。
【実施例１】
【００１０】
図１乃至図５において、符号１は本装置の紐取り軸を示し、この紐取り軸１は中空パイプ１ａで形成され、該パイプの周側にはパイプ両端部に渡る軸方向に幅Ｔのスリット１ｓを設け、該スリット１ｓをガイドとして移動できる厚さｔのカッター５を配置してある。  紐取り軸１の一端部には中実シャフト１ｃを連結し、従来構造と同様にプランマ軸受ｄにより支持され、継手ｃを介して駆動モータｂに接続されている。紐取り軸１の他端部には中空シャフト１ｂを連結してプランマ軸受ｄにより支持されている。而して中空シャフト１ｂ、中空パイプ１ａ、中実シャフト１ｃは一直線上に一体化してある。
７は中空パイプ１ａ内に配置したカッターケーブルであって、その一端部はフォークエンド及びアイエンドを設けて前記カッターの基部５ａにボルトナットを用いて固着してある。この固定するボルトナット８は、一本の場合を図示したが、絡んだ紐が硬く切断時に刃物が逃げるような場合は、鎖線５ｃで示すようにボルトナットが二本で固定する事もある。カッター基部５ａのパイプ内面壁に接する角部には丸味Ｒを形成しスライドし易いように形成した。
しかし、当然両刃方式の案も考えられ、この場合は、１８０度反対側にもスリットを設け、符号５ｂなる刃を設けた鎖線で示すＴの字型の両刃方式として実施できることも本考案の特徴である。
なお、片刃方式の場合にスリットによって生ずる軸回転時のアンバランスは、バランサー１ｗをスリット近くに溶接し対処する。
カッターケーブル７の他端部にはアイエンドを設けて中空シャフト１ｂから突出させてある。
２は上記カッターケーブル７の突出端部に連結したウインチケーブル６を巻き取るためのウインチ４を装着するステーであり、補強リブ３と併せて機械本体ｈに固定されている。符号１ｋは紐取り軸１の両側に設けた組立孔で、カッター５をボルトナットで固定する際、図示しないボックスレンチ等の工具を挿入する場合に利用する。図中９は紐取り軸１外周に設けた係止片であって、アイボルトのネジ山を短くして溶着してある。ｉは古紙を搬出するためのベルトコンベアを示す。
【００１１】
次に上記構成からなる実施例の作用に付き説明する。紐取り軸１を駆動モータｂの駆動力により回転すると、軸表面の係止片ａに紐が引っ掛り、更に回転に伴って紐が紐を絡み取り、紐の層ｇを生ずる。軸１の回転時はカッター５も一緒に回転している。そこで本例では紐取り軸１の回転を停止後、先ずカッターケーブル７とウインチケーブル６を接続し、次にウインチ４に配線４ａを介して取り付けたスイッチボックス４ｂによりウインチ４を作動させると、ウインチケーブル６を巻き取る事で、カッターケーブル７を機械外側に引き出すと、これに伴ってカッター５をして紐の層ｇを切断しながらスリット１ｓ全長に沿って強力にストロークさせることができる。
この場合作業者Ｍはカッターケーブル７の張り出し方を注視し、カッターケーブルに予め設けた赤色インジケータ７ｄが出てきたらスイッチを切り紐切断作業が終了する。なお、切断作業後はウインチケーブル６からボルトナット８を外しておく。
【実施例２】
【００１２】
この実施例では図７に示すように、カッター１０をストロークさせるために、カッターケーブルの替わりにジャッキネジ１１を用いた構成が上例とは異なる。
即ち、本例ではカッター基部１０ａ内にネジ孔１０ｂを設けてジャッキネジ１１の一端部に取り付け、他端突出部にはソケットレンチ用のソケット１４ａに合致する棒状の４角形部１１ａを設け、インパクトレンチ１４（又は電動モータ）にてソケット１４ａ並びにジャッキネジ１１を回転できるようにしてある。この場合ソケット１４ａは、図示しないスライダー等でＨ方向に移動可能とし、紐取り軸回転中にはジャッキネジ端部１１ａから切り離しておく構造になっている。
本例の作用につき説明すると、紐取り軸１の回転停止後、軸に巻きついた紐の層を除去するには、インパクトレンチ１４を移動させてソケット１４ａをジャッキネジの突出端部１１ａに合致させてソケットを操作しジャッキネジ１１を回転させると、カッター１０は軸に巻きついた紐の層を切断しながら反対側に移動する。
【実施例３】
【００１３】
この実施例では図８及び図９に示すように、カッター１５をストロークさせるためにラックアンドピニオンを用いた構成が上例とは異なる。
即ちカッターケーブルの替わりに棒状のラック１６を用い、その一端部にカッター１５をネジ１７，１７で固定してあり、ラック他端部に連結してあるピニオン１９の回転力でカッター１５を移動させるものである。ピニオンは電気モータ１８（又は油圧モータ）により駆動される。なお、紐取り軸１の回転中は、図９に示すようにモーターをＨ方向にスライドさせピニオン１９をラック１６から外せる構造となっている。
本例の作用につき説明すると、ピニオン１９を電機モータ１８で回転させ、ラック１６を外方向に強力に引き出すことでカッター１５をスリット１ａに沿ってストロークさせ、軸に巻きついた紐の層を切断するものである。
【図面の簡単な説明】
【００１４】
【図１】実施例１における側面概略図である。
【図２】同上一部断面図である。
【図３】カッターケーブルの平面図である。
【図４】図２のＡ−Ａ線断面図である。
【図５】図２のＢ−Ｂ線断面図である。
【図６】中空シャフト端部とカッターケーブル端部を止着した状態図である。
【図７】実施例２における断面図である。
【図８】実施例３における断面図である。
【図９】ラックとピニオンの係合状態を示す説明図である。
【図１０】従来の結束紐取り装置の概略図である。
【図１１】従来の紐取り軸の軸受け部分断面図である。
【図１２】図１１のＣ−Ｃ線断面図である。
【図１３】図１１のＤ−Ｄ線断面図である。
【符号の説明】
【００１５】
１    紐取り軸
１ａ  中空パイプ
１ｂ  中実シャフト
１ｃ  中空シャフト
１ｋ  組立孔
１ｓ  スリット
４    ウインチ
５    カッター
６    ウインチケーブル
７    カッターケーブル
８    ボルトナット
９    係止片
１０  カッター
１１  ジャッキネジ
１４  電動モータ
１５  カッター
１６  ラック
１８  電気モータ
１９  ピニオン
【図１】
0003141849.tif 000003
【図２】
0003141849.tif 000004
【図３】
0003141849.tif 000005
【図４】
0003141849.tif 000006
【図５】
0003141849.tif 000007
【図６】
0003141849.tif 000008
【図７】
0003141849.tif 000009
【図８】
0003141849.tif 000010
【図９】
0003141849.tif 000011
【図１０】
0003141849.tif 000012
【図１１】
0003141849.tif 000013
【図１２】
0003141849.tif 000014
【図１３】
0003141849.tif 000015